(57)【要約】      （修正有）【課題】根掛りし難く、魚が掛かり易く、餌が無駄に紛失するのを防止する釣具を提供する。【解決手段】釣具１０はテグス３０と、テグス３０の先端部近傍に連結された釣具本体２０と、このテグス３０の最先端部に取り付けられた釣り針４０とにより構成され、この釣具本体２０は上端部に連結部と、この連結部の下方に給餌部と、最下方に設けた保護部とから構成され、この連結部にはテグスが連結され、この給餌部は開放された形状を有し釣り針が配置されて、この保護部は外周を囲まれた形状で内部に餌が保護されることを特徴とする釣具。【選択図】図４
2018201481.tif 000002
【特許請求の範囲】
【請求項１】
魚を釣る為の釣具であって、この釣具はテグスと、テグスの先端部近傍に連結された釣具本体と、このテグスの最先端部に取り付けられた釣り針とにより構成され、この釣具本体は上端部に連結部と、この連結部の下方に給餌部と、最下方に設けた保護部とから構成され、この連結部にはテグスが連結され、この給餌部は開放された形状を有し釣り針が配置されて、この保護部は外周を囲まれた形状で内部に餌が保護されることを特徴とする釣具。
【請求項２】
請求項１の釣具の上端近傍に浮きを設けたことを特徴とする釣具。
【請求項３】
請求項１又は請求項２の釣具の下端近傍に重りを設けたことを特徴とする釣具。
【請求項４】
請求項１乃至請求項３の何れかの釣具に発光体を設けたことを特徴とする釣具。
【発明の詳細な説明】
【技術分野】
【０００１】  この発明は、テグスの先に取り付けた釣り針に餌を取り付けて魚を釣る釣具に関する。
【背景技術】
【０００２】  従来、テグスの先に釣り針を取り付けて、その釣り針に餌を取り付け、魚を釣る釣りが広く行われてきた。
【先行技術文献】
【特許文献】
【０００３】
【特許文献１】実用新案登録第３０５５７２９号
【発明の概要】
【発明が解決しようとする課題】
【０００４】  釣りをする際の大きな問題点は、釣り針が水中や水上の障害物に引っ掛かり、根掛りとなることであった。根掛りとなった釣り針と釣り糸は放置され、人体に釣り針が突き刺さる危険性があった。【０００５】  この為、特許文献１のような技術が開示されていた。特許文献１では、釣り針４を取り付けたハリス５の途中にカバーａを設けたものである。しかしながら、特許文献１の図３、及び段落番号００１３に示されるように、釣り針４がカバーａの奥に隠されているので、魚が釣り針４に掛かり難い新たな問題が発生した。さらに、餌の下端部がカバーａから覗く位置にあるので餌が魚に食い逃げされる問題もあった。
【課題を解決するための手段】
【０００６】  魚を釣る為の釣具であって、この釣具はテグスと、テグスの先端部近傍に連結された釣具本体と、このテグスの最先端部に取り付けられた釣り針とにより構成され、この釣具本体は上端部に連結部と、この連結部の下方に給餌部と、最下方に設けた保護部とから構成され、この連結部にはテグスが連結され、この給餌部は開放された形状を有し釣り針が配置されて、この保護部は外周を囲まれた形状で内部に餌が保護されることを特徴とする釣具。
【発明の効果】
【０００７】  この発明により上記の問題点を解決し、根掛りを防止するとともに、魚が掛かり易く、餌が無駄に紛失するのを防止する釣具を提供できる。
【図面の簡単な説明】
【０００８】
【図１】第一の実施例の釣具の斜視図である。
【図２】第一の実施例の釣具の釣具本体の正面図と右側面図である。左側面図は右側面図と対称に表れる。
【図３】第一の実施例の釣具の釣具本体の背面図、平面図、底面図、ＡＡ断面図である。
【図４】第一の実施例の釣具の使用状態を示す斜視図である。
【図５】第二の実施例の釣具の釣具本体の正面図である。
【図６】第三の実施例の釣具の斜視図である。
【図７】第四の実施例の釣具の斜視図である。
【図８】第五の実施例の釣具の斜視図である。
【図９】第六の実施例の釣具の斜視図である。
【発明を実施するための形態】
【０００９】  魚を釣る為の釣具であって、この釣具はテグスと、テグスの先端部近傍に連結された釣具本体と、このテグスの最先端部に取り付けられた釣り針とにより構成され、この釣具本体は上端部に連結部と、この連結部の下方に給餌部と、最下方に設けた保護部とから構成され、この連結部にはテグスが連結され、この給餌部は開放された形状を有し釣り針が配置されて、この保護部は外周を囲まれた形状で内部に餌が保護されることを特徴とする釣具。
【００１０】  上記の釣具の上端近傍に浮きを設けたことを特徴とする釣具。
上記の釣具の下端近傍に重りを設けたことを特徴とする釣具。
上記の何れかの釣具に発光体を設けたことを特徴とする釣具。
【実施例】
【００１１】  図１、図２、図３により第一の実施例の釣具を説明する。釣具１０はテグス３０と、テグス３０の先端部近傍に連結された釣具本体２０と、テグス３０の最端部に取り付けられた釣り針４０とにより構成されている。釣具本体２０は上端部に孔の開いた連結部２１と、連結部２１の下方に給餌部２２と、最下方に設けた保護部２３とから構成されている。【００１２】  釣具本体２０は、プラスチック又は金属の平板を円筒状に曲げた形状を有している。給餌部２２は開放された形状を有し、釣り針４０が配置される。保護部２３は外周を囲まれた形状を有している。連結部２１の孔にはテグス３０が結び付けられ、テグス３０の先端に結び付けられた釣り針４０は給餌部２２に配置される。【００１３】  図４により第一の実施例の釣具の使用状態を説明する。釣り針４０に取り付けられた餌５０は、給餌部２２から保護部２３にかけて配置される。餌５０は、給餌部２２においては外部に露出し、保護部２３においては保護部２３の内部に収容されて保護される。【００１４】  魚は、給餌部２２の開放された部分の餌に食い付き、釣り針４０に掛かることになる。餌５０のうち釣り針４０の存在しない部分は保護部２３の内部に保護されて、無駄に食い荒らされることが防止できる。又、釣り針４０が大きく外部に突出していないので、障害物に引っかかって根掛りとなるのを防止できる。【００１５】  さらに、団子状の餌は波に洗われてバラバラになってしまう虞があるが、保護部２３に保護されて餌が長持ちする効果もある。そして、淡水に住むイソメ、ゴカイ、ミミズなどは、塩分を含む海水に弱く、餌が早く衰弱してしまう問題があったが、保護部２３により衰弱を抑える効果もある。【００１６】  投げ釣りの際は、餌に大きな遠心力が働き、また高速で空中を飛行するため空気抵抗により餌が釣り針から外れることがあったが、発明の釣具では餌５０が保護部２３に保護されているので餌が外れ難い利点も有している。【００１７】  釣具本体２０は、透明又は半透明な材質で構成するのが好ましい。魚が遠方からでも餌５０を視認できる効果がある。又、釣具本体２０は軟質材で成形すると、釣具１０が取扱いし易くなる効果もある。【００１８】  図５の第二の実施例の釣具を説明する。この実施例では、保護部２３は先端が細くなった逆円錐状をしており、餌５０が下方に落下し難い効果がある。【００１９】  図六の第三の実施例の釣具を説明する。釣具１０の上方には、浮き６０が取り付けられ、下方に重り７０が取り付けられており、釣具１０を直立させる効果がある。【００２０】  図７の第四の実施例の釣具を説明する。この実施例では、チューブ状の発光体８０がテグス３０に取り付けられている。魚をおびき寄せる効果がある。【００２１】  図８の第五の実施例の釣具を説明する。この実施例では、釣具本体２０の給餌部２２を細くし、湾曲させてある。魚が餌を食う際に給餌部２２が邪魔になり難いようにしたものである。さらに、エラストマー等の弾力性のある材料で係止具９０を設けて、釣り針４０の位置を調整し易くしてある。【００２２】  図９の第六の実施例の釣具を説明する。この実施例では、合せ部２４に凹凸を設けて嵌合し合うようにし、釣具本体２０が経年変化しても、隙間が過大にならないようにして、中の餌が無駄に紛失しないようにしている。
【産業上の利用可能性】
【００２３】  この発明は、魚を釣る釣具に利用可能である。釣具本体を権利化された商品として供給し、他は従来品を使用することもできる。
【符号の説明】
【００２４】１０は釣具
２０は釣具本体
２１は連結部
２２は給餌部
２３は保護部
２４は合せ部
３０はテグス
４０は釣針
５０は餌
６０は浮き
７０は重り
８０は発光体
９０は係止具
【図１】
2018201481.tif 000003
【図２】
2018201481.tif 000004
【図３】
2018201481.tif 000005
【図４】
2018201481.tif 000006
【図５】
2018201481.tif 000007
【図６】
2018201481.tif 000008
【図７】
2018201481.tif 000009
【図８】
2018201481.tif 000010
【図９】
2018201481.tif 000011